(57)【要約】本発明は、構造が簡単でありつつフィルターの面積を大幅に増加させて集塵機を小型化でき、これにより、集塵機の設置面積を減らすことができ、空気圧を均一に分散させて脱塵効率を向上させるだけでなく、材質にかかわらず製作が容易で活用範囲の広い集塵機用フィルターバッグに関する。本発明によれば、フィルターケージ（３１）によって保持されて筒形状を成す濾布（３２）を含むフィルターバッグにおいて、前記濾布（３２）は、前記フィルターケージ（３１）の外部に円筒状に備えられた外部濾布（３３）と、前記外部濾布（３３）の下端の周りに下部が開放されるように結合されて上部に延在した内部濾布（３４）とからなり、前記内部濾布（３４）は直径が上向きに縮小されたコーン形状に備えられることを特徴とする集塵機用フィルターバッグが提供される。
2009539577.tif 000002
【特許請求の範囲】
【請求項１】
フィルターケージ（３１）によって保持されて筒形状を成す濾布（３２）を含むフィルターバッグであって、前記濾布（３２）は、前記フィルターケージ（３１）の外部に円筒状に備えられた外部濾布（３３）と、前記外部濾布（３３）の下端の周りに下部が開放されるように結合されて上部に延在した内部濾布（３４）とからなり、前記内部濾布（３４）は直径が上向きに縮小されたコーン形状に備えられることを特徴とする集塵機用フィルターバッグ。
【請求項２】
前記フィルターケージ（３１）の上端には、前記濾布（３２）の内部へ加圧された空気が供給されるように通路を形成するベンチュリ管（３５）がさらに備えられ、前記内部濾布（３４）の先端部には前記ベンチュリ管（３５）またはフィルターケージ（３１）の一側に延在するワイヤー形状の固定手段（３６）が備えられ、前記内部濾布（３４）は前記固定手段（３６）によって保持されることを特徴とする請求項１に記載の集塵機用フィルターバッグ。
【発明の詳細な説明】
【技術分野】
【０００１】
本発明は、集塵機用フィルターバッグに関し、さらに詳細には、フィルターの面積及び空気圧の分散を増加させて、脱塵効率を向上させることができる集塵機用フィルターバッグに関する。
【背景技術】
【０００２】
一般に、セメント、繊維、化学などの製造工場や金属などを加工する工場では、製造または加工時に排出される排気ガスや微細粉塵及び産業廃棄物などによる環境汚染を防止するために必ず集塵機を使用している。かかる集塵機としては、集塵方式によって、サイクロンによる遠心力集塵機またはフィルターバッグによる濾過集塵機などが主に使用されている。
【０００３】
特に、濾過集塵機の集塵能力、大きさ及び重量などは、その内部に内蔵されるフィルターバッグによって決定される。集塵機には、大体外周面がなめらかな円筒状からなる多数のフィルターバッグが内蔵され、かかるフィルターバッグは、集塵対象の化学的及び物理的性質、使用温度、そして集塵対象の特性によって、ポリエステル、ポリプロピレン、ナイロンまたはテフロン（登録商標）のような材質を使用して製作される。ここで、所望のフィルタリング効率によって内蔵されるフィルターバッグの個数が変わる。フィルターバッグの個数が多くなるほど、集塵機が大型化されるだけでなくそれによる設置面積を要するので、同じ大きさのフィルターバッグでその自体のフィルタリング効率を改善するために、外周の表面積を増加させる方法によってフィルターバッグを製作している。以下、図示された図面を参照して、このようなひだ状のフィルターバッグについて説明する。図１の（ａ）に示すように、フィルターバッグ１０には、外周面の長さ方向に多数の山部分１２と谷部分１３が形成されてベローズ形状を成す円筒状の濾布１１が備えられている。尚、図１の（ｂ）に示すように、前記濾布１１の上下端には、前記濾布１１を保持するように上部及び下部キャップ１５、１６が接着される。尚、前記濾布１１の上端には、上部キャップ１５を貫通して、濾布１１の内部に噴出される空気を加圧するためのベンチュリ管１４が結合されている。
【０００４】
このような構成を有するひだ状フィルターバッグ１０は、前記濾布１１にひだが形成されないなめらかな表面を有するフィルターバッグに比べて、相対的にフィルタリングできる表面積が広く形成されるので、フィルタ効率が増加すると知られている。しかし、このようなひだ状フィルターバッグ１０は、使用される濾布１１の材質によって、ひだを形成するかまたは形成されたひだを持続的に維持するように製作することが非常にわずらわしいため、ポリエステルのような特定の材質のみを使用するようになり、これによってフィルターバッグ１０を使用できる集塵対象または使用先が限定されるという短所がある。上記の集塵対象または使用先が限定されることの一例を取り上げて説明すると、ポリエステルの場合、化学的にアルカリ性に非常に弱いため、アルカリ性を有する粉塵が排出される場所では使用し難い。これに比べて、アルカリ性に強いポリプロピレンの場合は、材質の特性上ひだの形成や形成されたひだの持続的な維持が難しいので、ポリエステルに比べて他の長所があるにもかかわらず、ひだ状フィルターバッグ１０の濾布１１に容易に使用できないという製作上の限界がある。また、ひだ状フィルターバッグ１０を製作するにあたって、なめらかな表面を有する一般的なフィルターバッグは、濾布を保持するためにフィルターケージを備え、このフィルターケージに保持され濾布が裁縫されて製作される。一方、ひだ状フィルターバッグ１０はその形状の特性上裁縫が困難であるため、一般的に上部及び下部キャップ１５、１６に接着剤によって接着されて製作される。このように接着剤によって接着されると、高温または多湿の場所では非常に脆弱なので、高温または多湿の環境でフィルターバッグ１０を使用する場合、フィルターバッグ１０の寿命が非常に短くなる短所がある。また、フィルターバッグ１０のひだの谷部分１３では濾布１１のメッシュ（ｍｅｓｈ）が相対的に小さくなるので、粉塵によって詰まる現象が発生して集塵効率が低下するだけでなく、濾布１１の表面に固着した粉塵を脱塵する場合にも脱力効率が低下し、これによってフィルターバッグ１０の寿命が大幅に短縮される短所がある。
【発明の開示】
【発明が解決しようとする課題】
【０００５】
そこで、本発明の目的は、構造が簡単でありつつフィルター面積を大幅に増加させることができるので、集塵機を小型化し、これによって集塵機の設置面積を減らすことができ、空気圧を均一に分散させて脱塵効率を向上させることができるだけでなく、材質にかかわらず製作が容易で活用範囲が広い集塵機用フィルターバッグを提供することにある。
【課題を解決するための手段】
【０００６】
本発明の特徴によれば、フィルターケージ３１によって保持されて筒形状を成す濾布３２を含むフィルターバッグであって、前記濾布３２は、前記フィルターケージ３１の外部に円筒状に備えられた外部濾布３３と、前記外部濾布３３の下端の周りに下部が開放されるように結合されて上部に延在した内部濾布３４とからなり、前記内部濾布３４は直径が上向きに縮小されたコーン形状に備えられることを特徴とする集塵機用フィルターバッグが提供される。
【０００７】
本発明の他の特徴によれば、前記フィルターケージ３１の上端には、前記濾布３２の内部へ加圧された空気が供給されるように通路を形成するベンチュリ管３５がさらに備えられ、前記内部濾布３４の先端部には前記ベンチュリ管３５またはフィルターケージ３１の一側に延在するワイヤー形状の固定手段３６が備えられ、前記内部濾布３４は前記固定手段３６によって保持されることを特徴とする請求項１に記載の集塵機用フィルターバッグが提供される。
【発明の効果】
【０００８】
本発明によれば、フィルターケージ３１の外部に円筒状の外部濾布３３が備えられ、前記外部濾布３３の内側に下部が開放されたコーン形状の内部濾布３４が備えられることで、従来の同じ大きさのフィルターバッグに比べて集塵される表面積が大幅に広くなって、高い集塵効率を発揮するだけではなく、これによって集塵機に内蔵されるフィルターバッグ３０の個数を減らすことができるので、集塵機の大きさ及び重量を減らして小型化された集塵機を具現できる長所がある。また、従来のひだ状フィルターバッグに比べて相対的に構造が簡単なので製作が容易なだけでなく、濾布３２の材質が特定の材質に限定されないので使用範囲を大幅に拡張することができる長所がある。さらに濾布が粉塵で詰まる現象が減少して集塵及び脱塵効率を向上させるだけでなく、フィルターバッグ３０の寿命が長いことでフィルターバッグ３０の交替周期が長くなって、それに伴う費用を節減することができる長所がある。
【０００９】
尚、フィルターバッグ３０の内側に備えられるコーン形状の内部濾布３４によってフィルターバッグ３０の内部に噴射される空気圧がフィルターバッグ３０の全体にかけて均一に噴射されるので、フィルターバッグ３０の長さ及び位置にかかわらず均一な脱塵が行なわれて、脱塵効率を大幅に向上させるだけでなく、不均一な空気圧によるフィルターバッグの局所的な損傷を防止することができるので、寿命を延長できる長所がある。
【００１０】
さらに、前記内部濾布３４の内側先端部にはベンチュリ管３５の先端部に結合される固定手段３６が延在して内部濾布３４を保持するので、前記内部濾布３４を保持するための別途のフィルターケージ３１を備えなくても簡単な構造によって内部濾布３４を確実に保持することができる。従って、別途の製作コスト上昇要因を解消するだけでなく、製作が容易で前記ベンチュリ管３５を介して流入する空気圧を妨害しない長所がある。
【発明を実施するための最良の形態】
【００１１】
上述した本発明の目的、特徴及び長所は次の詳細な説明によりさらに明らかになるであろう。以下、本発明の好ましい実施の形態を添付の図面に基づいて説明する。
【００１２】
図２は、本発明による好ましい一実施の形態を示す断面図であり、図３及び図４は、作動状態図である。図２に示すように、本発明のフィルターバッグ３０には、フレームを形成して濾布３２を保持するようにフィルターケージ３１が備えられている。該フィルターケージ３１の外部には円筒状からなる外部濾布３３が備えられている。前記外部濾布３３内側の下端の周りから長さ方向に延在してコーン形状を成す内部濾布３４が備えられている。また、前記外部濾布３３の上端には、前記フィルターケージ３１に結合されて外部濾布３３の内側に挿入されたベンチュリ管３５が備えられている。
【００１３】
前述したような構成を含む本発明は、外観上では従来のフィルターバッグと類似しているが、本発明のフィルターバッグ３０は、下端が開放されているだけではなく、内部の長さ方向にコーン形状を成している。このような形状によって、従来のように外周面に長さ方向にひだを形成しなくてもフィルターバッグ３０の表面積を大幅に拡張することができ、これにより、集塵効率を向上させることができる。尚、前記内部濾布３４には、前記外部濾布３３が保持されるフィルターケージ３１が備えられず、これを保持するために内部濾布３４の内側先端部には前記ベンチュリ管３５の先端部に結合される固定手段３６が延在している。前記固定手段３６はワイヤーで構成され、構造が非常に簡単で、且つ、内部濾布３６を確実に保持し、前記ベンチュリ管３５を介して流入する空気の圧力を妨害しない効果があるだけではなく、フィルターバッグ３０をさらに製作し易くすることができる。
【００１４】
以上のような本発明のフィルターバッグ３０の設置及び作動状態を、図示された図面によってさらに詳細に説明すると次の通りである。図３は、集塵状態を示しており、図４は、脱塵状態を示している。集塵機のホッパ５０内には少なくとも一つ以上のフィルターバッグ３０が垂直方向に設けられており、前記フィルターバッグ３０の上部には、フィルターバッグ３０の内部に空気を噴射するようにブロー管５１が備えられている。前記ブロー管５１には、前記フィルターバッグ３０の上端に結合されたベンチュリ管３５に近接するように、噴射ノズル５２が形成されている。このような構成によって、粉塵はホッパ５０の一側に形成された流入口５３を介してホッパ５０の内部に流入し、流入した粉塵は本発明のフィルターバッグ３０によって除塵されるようになる。この際、粉塵は外部濾布３３の外周面と開放された下部及び内部濾布３４の表面を介して集塵されるので、同じ大きさの従来のフィルターバッグに比べて集塵される表面積が大幅に拡張される。
【００１５】
尚、集塵過程でフィルターバッグ３０の外部及び内部濾布３３、３４の表面に固着した粉塵は、前記ブロー管５１を通して供給される空気によって周期的にまたは必要によって脱塵されるが、ブロー管５１の噴射ノズル５２から噴射される空気は、前記ベンチュリ管３５を通過しながらベンチュリ効果によってその圧力が増加して、フィルターバッグ３０の内部に高圧噴射される。このようなベンチュリ管３０は従来と類似のものであるが、従来にはフィルターバッグの内部が一般的な円筒状からなって、噴射される空気圧がベンチュリ管３５側からフィルターバッグ内部の長さ方向に徐々に減少する。従って、フィルターバッグの長さに沿う内部の空気圧が不均一であって、前記ベンチュリ管３５付近の位置では脱塵効率が高く、フィルターバッグの端部付近の位置では相対的に脱塵効率が低いという短所がある。しかし、本発明のフィルターバッグ３０は前記ベンチュリ管３５側に延在するコーン形状の内部濾布３４を備えているので、フィルターバッグ３０の内部は前記ベンチュリ管３５からフィルターバッグ３０の長さ方向に沿って次第に内部空間が縮小される形状を成す。このような内部濾布３４の形状によって、フィルターバッグ３０内部の空気圧は全体的に均一に分散され、これにより、フィルターバッグ３０全体にかけて均一な脱塵が行なわれるようになる。
【００１６】
以上で説明した本発明は前述した実施の形態及び添付の図面によって限定されず、本発明の技術的思想を逸脱しない範囲で様々に置換、変形及び変更が可能なことは、本発明の属する技術分野における通常の知識を有する者には明白であろう。
【図面の簡単な説明】
【００１７】
【図１】従来のフィルターバッグの一例を示す断面図である。
【図２】本発明の一実施の形態を示す断面図である。
【図３】本発明の一実施の形態による作動状態図である。
【図４】前記の実施の形態による他の作動状態図である。
【図１】
2009539577.tif 000003
【図２】
2009539577.tif 000004
【図３】
2009539577.tif 000005
【図４】
2009539577.tif 000006
【国際調査報告】
2009539577.tif 000007
2009539577.tif 000008